(57)【要約】【課題】対話型電子機器の機能を改善する。【解決手段】対話型電子機器１１は、制御部２２を備えている。制御部２２は、自機器の周囲にいる人に応じたプライベートレベルを取得等する。制御部２２は、プライベートレベルに応じてスピーカによって音声出力する内容を変更する内容変更処理を実行する。また、対話型電子機器１１は、携帯端末であってもよい。制御部２２は、自機器が充電台に載置された場合に内容変更処理を実行してもよい。【選択図】図３
2019041265.tif 000002
【特許請求の範囲】
【請求項１】
自機器の周囲にいる人に応じたプライベートレベルに基づいて、スピーカによって音声出力する内容を変更する内容変更処理を実行する制御部を備える
対話型電子機器。
【請求項２】
前記対話型電子機器は、携帯端末であって、
前記制御部は、前記自機器が充電台に載置された場合に前記内容変更処理を実行する
請求項１に記載の対話型電子機器。
【請求項３】
前記自機器の周囲にいる人は、カメラによって撮像された画像に基づいて判定される
請求項１または２に記載の対話型電子機器。
【請求項４】
携帯端末と、
前記携帯端末を載置可能な充電台と、を備え、
前記携帯端末および前記充電台の一方が、自機器の周囲にいる人に応じたプライベートレベルに基づいて、スピーカによって音声出力する内容を変更する
コミュニケーションシステム。
【請求項５】
自機器の周囲にいる人に応じたプライベートレベルに基づいて、スピーカによって音声出力する内容を変更するステップ、を含む
方法。
【請求項６】
自機器の周囲にいる人に応じたプライベートレベルに基づいて、スピーカによって音声出力する内容を変更するように対話型電子機器を機能させる
プログラム。
【発明の詳細な説明】
【技術分野】
【０００１】
本発明は、対話型電子機器、コミュニケーションシステム、方法、およびプログラムに関するものである。
【背景技術】
【０００２】
スマートホン、タブレット、ノートパソコンなどの携帯端末が普及している。携帯端末は内蔵するバッテリに充電された電力を用いて駆動する。携帯端末のバッテリは、載置した携帯端末に給電を行う充電台により充電される。
【０００３】
充電台に関しては、充電に関する機能の改善（特許文献１参照）、小型化（特許文献２参照）、および構成の簡潔化（特許文献３参照）などが提案されている。
【先行技術文献】
【特許文献】
【０００４】
【特許文献１】特開２０１４−２１７１１６号公報
【特許文献２】特開２０１５−１０９７６４号公報
【特許文献３】特開２０１４−０７９０８８号公報
【発明の概要】
【発明が解決しようとする課題】
【０００５】
しかし、互いに組合せられる携帯端末および充電台のような対話型電子機器の機能には改善の余地があった。
【０００６】
本開示は、機能を改善した対話型電子機器、コミュニケーションシステム、方法、およびプログラムを提供する。
【課題を解決するための手段】
【０００７】
本開示の第１の観点に係る対話型電子機器は、
自機器の周囲にいる人に応じたプライベートレベルに基づいて、スピーカによって音声出力する内容を変更する内容変更処理を実行する制御部を備える。
【０００８】
本開示の第２の観点に係るコミュニケーションシステムは、
携帯端末と、
前記携帯端末を載置可能な充電台と、を備え、
前記携帯端末および前記充電台の一方が、自機器の周囲にいる人に応じたプライベートレベルに基づいて、スピーカによって音声出力する内容を変更する。
【０００９】
上述したように本開示の解決手段を装置、及びシステムとして説明してきたが、本開示は、これらを含む態様としても実現し得るものであり、また、これらに実質的に相当する方法、プログラム、プログラムを記録した記憶媒体としても実現し得るものであり、本開示の範囲にはこれらも包含されるものと理解されたい。
【００１０】
本開示の第３の観点に係る方法は、
自機器の周囲にいる人に応じたプライベートレベルに基づいて、スピーカによって音声出力する内容を変更するステップ、を含む。
【００１１】
本開示の第４の観点に係るプログラムは、
自機器の周囲にいる人に応じたプライベートレベルに基づいて、スピーカによって音声出力する内容を変更するように対話型電子機器を機能させる。
【発明の効果】
【００１２】
本開示に係る対話型電子機器、コミュニケーションシステム、方法、およびプログラムによれば、電子機器の機能が改善する。
【図面の簡単な説明】
【００１３】
【図１】一実施形態に係る対話型電子機器を含むコミュニケーションシステムの外観を示す正面図である。
【図２】図１のコミュニケーションシステムの側面図である。
【図３】図１の携帯端末および充電台の内部構成を概略的に示す機能ブロック図である。
【図４】図３における携帯端末の制御部が実行する初期設定処理を説明するためのフローチャートである。
【図５】図３における携帯端末の制御部が実行するプライベート設定処理を説明するためのフローチャートである。
【図６】図３における充電台の制御部が実行する発話等実行判別処理を説明するためのフローチャートである。
【図７】図３における携帯端末の制御部が実行するプライベートレベル認識処理を説明するためのフローチャートである。
【図８】図３における携帯端末の制御部が実行する内容変更処理を説明するためのフローチャートである。
【図９】図３における携帯端末の制御部が実行するスケジュール通知のサブルーチンを説明するためのフローチャートである。
【図１０】図３における携帯端末の制御部が実行するメモ通知のサブルーチンを説明するためのフローチャートである。
【図１１】図３における携帯端末の制御部が実行するメール通知のサブルーチンを説明するためのフローチャートである。
【図１２】図３における携帯端末の制御部が実行する電話着信通知のサブルーチンを説明するためのフローチャートである。
【発明を実施するための形態】
【００１４】
図１および図２に示すように、本開示の対話型電子機器として携帯端末１１を含むコミュニケーションシステム１０は、携帯端末１１および充電台１２を含んでいる。充電台１２は携帯端末１１を載置可能である。携帯端末１１を充電台１２に載置している間、充電台１２は携帯端末１１の内蔵のバッテリを充電する。また、携帯端末１１を充電台１２に載置する場合、コミュニケーションシステム１０はユーザと対話し得る。また、携帯端末１１および充電台１２の少なくとも一方は、伝言機能を有しており、指定したユーザに対する伝言を当該ユーザに報知する。
【００１５】
図３に示すように、携帯端末１１は、通信部１３、受電部１４、バッテリ１５、マイク１６、スピーカ１７、カメラ１８、ディスプレイ１９、入力部２０、記憶部２１、および制御部２２などを含んでいる。
【００１６】
通信部１３は、音声、文字、および画像などを通信可能な通信インタフェースを含む。本開示における「通信インタフェース」は、例えば物理コネクタ、および無線通信機を含んでよい。物理コネクタは、電気信号による伝送に対応した電気コネクタ、光信号による伝送に対応した光コネクタ、および電磁波による伝送に対応した電磁コネクタを含んでよい。電気コネクタは、ＩＥＣ６０６０３に準拠するコネクタ、ＵＳＢ規格に準拠するコネクタ、ＲＣＡ端子に対応するコネクタ、ＥＩＡＪ  ＣＰ−１２１１Ａに規定されるＳ端子に対応するコネクタ、ＥＩＡＪ  ＲＣ−５２３７に規定されるＤ端子に対応するコネクタ、ＨＤＭＩ（登録商標）規格に準拠するコネクタ、およびＢＮＣ（Ｂｒｉｔｉｓｈ  Ｎａｖａｌ  Ｃｏｎｎｅｃｔｏｒ、またはＢａｂｙ‐ｓｅｒｉｅｓ  Ｎ  Ｃｏｎｎｅｃｔｏｒなど）を含む同軸ケーブルに対応するコネクタを含んでよい。光コネクタは、ＩＥＣ  ６１７５４に準拠する種々のコネクタを含んでよい。無線通信機は、Ｂｌｕｅｔｏｏｔｈ（登録商標）、およびＩＥＥＥ８０２．１１を含む各規格に準拠する無線通信機を含んでよい。無線通信機は、少なくとも１つのアンテナを含む。
【００１７】
通信部１３は、自身の携帯端末１１の外部機器、例えば充電台１２と通信する。通信部１３は、有線通信または無線通信により、外部機器と通信する。通信部１３は、充電台１２と有線通信をする構成においては、携帯端末１１を充電台１２の正規の位置及び姿勢で載置することにより、充電台１２の通信部２３に接続され、通信し得る。また、通信部１３は、無線通信により、直接的に、または、例えば、基地局、およびインターネット回線または電話回線を介して間接的に、外部機器と通信してよい。
【００１８】
受電部１４は、充電台１２から供給する電力を受電する。受電部１４は、例えば、コネクタを有し、有線を介して充電台１２から電力を受電する。または、受電部１４は、例えば、コイルなどを有し、電磁誘導方式および磁界共振方式などの無線給電方法により充電台１２から電力を受電する。受電部１４は、受電した電力をバッテリ１５に蓄電する。
【００１９】
バッテリ１５は、受電部１４から供給される電力を蓄電する。バッテリ１５は、蓄電した電力を放電することにより、携帯端末１１の各構成要素に、当該構成要素を機能させるために必要な電力を供給する。
【００２０】
マイク１６は、携帯端末１１の周囲で発生する音声を検出して、電気信号に変換する。マイク１６は、検出した音声を制御部２２に出力する。
【００２１】
スピーカ１７は、制御部２２の制御に基づいて、音声を発する。スピーカ１７は、例えば、後述する発話処理が実行されている場合、制御部２２が発話を決定した言葉を発する。また、スピーカ１７は、例えば、他の携帯端末との通話を実行している場合、当該携帯端末から取得する音声を発する。
【００２２】
カメラ１８は、撮像範囲内の被写体を撮像する。カメラ１８は、静止画像および動画像のいずれも撮像可能である。カメラ１８は、動画像の撮像時に、例えば６０ｆｐｓで、被写体を連続的に撮像する。カメラ１８は、撮像した画像を制御部２２に出力する。
【００２３】
ディスプレイ１９は、例えば液晶ディスプレイ（ＬＣＤ（Ｌｉｑｕｉｄ  Ｃｒｙｓｔａｌ  Ｄｉｓｐｌａｙ））、または、有機若しくは無機ＥＬディスプレイである。ディスプレイ１９は、制御部２２の制御に基づいて、画像を表示する。
【００２４】
入力部２０は、例えば、ディスプレイ１９と一体化したタッチパネルである。入力部２０は、ユーザによる携帯端末１１に関する多様な要求または情報の入力を検出する。入力部２０は、検出した入力を制御部２２に出力する。
【００２５】
記憶部２１は、例えば、半導体メモリ、磁気メモリ、および光メモリなどを用いて構成されてよい。記憶部２１は、例えば、後述する、登録処理、内容変更処理、発話処理、音声認識処理、見守り処理、データ通信処理、および通話処理などを実行するための多様な情報、ならびに上記の処理において制御部２２が取得する、ユーザの画像、ユーザ情報、充電台１２の設置場所、外部情報、会話内容、行動履歴、地域情報、見守り処理の特定の対象などを記憶する。
【００２６】
制御部２２は、１又は複数のプロセッサを含む。制御部２２は、種々の処理のためのプログラム及び演算中の情報を記憶する１又は複数のメモリを含んでよい。メモリは、揮発性メモリ及び不揮発性メモリが含まれる。メモリは、プロセッサから独立しているメモリ、及びプロセッサの内蔵メモリが含まれる。プロセッサには、特定のプログラムを読み込ませて特定の機能を実行する汎用のプロセッサ、特定の処理に特化した専用のプロセッサが含まれる。専用のプロセッサには、特定用途向けＩＣ（ＡＳＩＣ；  Ａｐｐｌｉｃａｔｉｏｎ  Ｓｐｅｃｉｆｉｃ  Ｉｎｔｅｇｒａｔｅｄ  Ｃｉｒｃｕｉｔ）が含まれる。プロセッサには、プログラマブルロジックデバイス（ＰＬＤ；  Ｐｒｏｇｒａｍｍａｂｌｅ  Ｌｏｇｉｃ  Ｄｅｖｉｃｅ）が含まれる。ＰＬＤには、ＦＰＧＡ（Ｆｉｅｌｄ−Ｐｒｏｇｒａｍｍａｂｌｅ  Ｇａｔｅ  Ａｒｒａｙ）が含まれる。制御部２２は、一つ又は複数のプロセッサが協働するＳｏＣ（Ｓｙｓｔｅｍ  ｏｎ  ａ  Ｃｈｉｐ）、及びＳｉＰ（Ｓｙｓｔｅｍ  Ｉｎ  ａ  Ｐａｃｋａｇｅ）のいずれかであってよい。
【００２７】
制御部２２は、例えば、後述するように充電台１２からコミュニケーションモードへの移行指令を取得すると、コミュニケーションモードにおける多様な機能を実行するために、携帯端末１１の各構成要素を制御する。ここで、コミュニケーションモードとは、携帯端末１１を充電台１２とともにコミュニケーションシステム１０として、特定のユーザを含む対話対象のユーザとの対話、特定のユーザの観察、および特定のユーザへのメッセージ発信などを実行させるモードである。
【００２８】
制御部２２は、コミュニケーションモードを実行するユーザの登録のための登録処理を実行する。制御部２２は、例えば、入力部２０へのユーザ登録を要求する入力の検出などにより、登録処理を開始する。
【００２９】
例えば、制御部２２は、登録処理において、ユーザにカメラ１８のレンズを見るようにメッセージを発し、カメラ１８を駆動することによりユーザの顔を撮像する。さらに、制御部２２は、撮像した画像を、ユーザの名称および属性などのユーザ情報と関連付けて記憶する。属性とは、例えば、携帯端末１１の所有者および当該所有者に対する続柄または交友関係、性別、年齢層、身長、体重などである。続柄は、例えば親子、兄弟などの携帯端末１１の所有者との家族関係を示す。また、交友関係は、知り合い、親友、クラスメート、職場の同僚などの携帯端末１１の所有者との交流の度合いを示す。制御部２２は、ユーザ情報を、入力部２０へのユーザによる入力により取得する。
【００３０】
制御部２２は、登録処理において、さらに、登録された画像を関連付けたユーザ情報とともに充電台１２に転送する。充電台１２に付与するために、制御部２２は、携帯端末１１と通信可能であるかを判別する。
【００３１】
制御部２２は、充電台１２と通信できない場合に、通信可能とさせるメッセージをディスプレイ１９に表示させる。例えば、携帯端末１１が充電台１２と有線通信を行う構成において携帯端末１１と充電台１２とが接続されていない場合、制御部２２は接続を要求するメッセージをディスプレイ１９に表示させる。また、携帯端末１１が充電台１２と無線通信を行う構成において携帯端末１１と充電台１２とが通信できない程度に離れている場合、制御部２２は充電台１２に近付くことを要求するメッセージをディスプレイ１９に表示させる。
【００３２】
制御部２２は、携帯端末１１および充電台１２が通信可能である場合、登録された画像およびユーザ情報を充電台１２に向けて転送させ、転送中であることをディスプレイ１９に表示させる。さらに、制御部２２は、転送の完了の通知を充電台１２から取得する場合、初期設定完了のメッセージをディスプレイ１９に表示させる。
【００３３】
制御部２２は、コミュニケーションモードに移行している間、発話処理および音声認識処理の少なくとも一方を実行することにより、コミュニケーションシステム１０を対話対象のユーザと対話させる。対話対象のユーザは、登録処理で登録されたユーザであって、例えば携帯端末１１の所有者である。また、制御部２２は、発話処理として、対話対象のユーザに対する各種の情報をスピーカ１７によって音声出力する。各種の情報は、例えばスケジュールの内容、メモの内容、メールの送信者、メールの件名、電話の発信者等を含む。
【００３４】
制御部２２が実行する発話処理における発話内容はプライベートレベルに応じて変更される。プライベートレベルは、発話内容に対話対象のユーザのプライベートな情報（対話対象のユーザが特定される個人に関する情報）を含められる程度を示す度合いである。プライベートレベルは、携帯端末１１の周囲にいる人に応じて設定される。プライベートレベルは、携帯端末１１の周囲にいる人の、対話対象のユーザとの続柄または交友関係によって変動し得る。プライベートレベルは、例えば、携帯端末１１の周囲にいる人が対話対象のユーザと親しくない人（例えば他人）を含む、第１のレベルを含む。また、プライベートレベルは、例えば、携帯端末１１の周囲にいる人が対話対象のユーザおよび対話対象のユーザと親しい人（例えば家族または親友等）である第２のレベルを含む。また、プライベートレベルは、例えば、携帯端末１１の周囲にいる人が対話対象のユーザだけである第３のレベルを含む。
【００３５】
プライベートレベルが第１のレベルである場合の発話内容（以下「第１のレベルの発話内容」という）は、例えばプライベートな情報を全く含まない内容、または不特定のユーザに対して開示が許可された内容である。例えば、スケジュールについて音声出力する場合の第１のレベルの発話内容は「本日予定があります」である。また、例えば、メモについて音声出力する場合の第１のレベルの発話内容は「メモがあります」である。また、例えば、メールについて音声出力する場合の第１のレベルの発話内容は「メールがきています」である。また、例えば、電話について音声出力する場合の第１のレベルの発話内容は「着信がありました」である。
【００３６】
プライベートレベルが第２のレベルまたは第３のレベルである場合の発話内容（以下「第２または第３のレベルの発話内容」という）は、例えばプライベートな情報を含む内容、または、対話対象のユーザに対して開示が許可された内容である。例えば、スケジュールについて音声出力する場合の第２または第３のレベルの発話内容は「本日の１９時に歓送迎会の予定があります」である。また、例えば、メモについて音声出力する場合の第２または第３のレベルの発話内容は「明日、報告書Ｙを提出する必要があります」である。また、例えば、メールについて音声出力する場合の第２または第３のレベルの発話内容は「ＡさんからＺの件でメールがきています」である。また、例えば、電話について音声出力する場合の第２または第３のレベルの発話内容は「Ａさんから着信がありました」である。
【００３７】
ここで、ユーザは第１のレベルから第３のレベルにおける開示が許可される内容などを、入力部２０によって設定し得る。例えば、ユーザは、例えばスケジュールに設定された予定があること、メモがあること、メールを受信したこと、電話があったことなどを音声で通知するか否かを個別に設定可能である。また、ユーザは、例えばスケジュールの内容、メモの内容、メールの送信者、メールの件名、電話の発信者などを音声出力するか否かを個別に設定可能である。また、ユーザは、例えばスケジュールの内容、メモの内容、メールの送信者、メールの件名、電話の発信者などについて、プライベートレベルに応じた変更を実行するか否かを個別に設定可能である。また、ユーザは、第２のレベルにおいて情報を開示する者を、例えば続柄または交友関係に基づいて、設定可能である。これらの設定された内容（以下、「設定情報」という）は、例えば記憶部２１に記憶されて、充電台１２との間で同期および共有される。
【００３８】
制御部２２は、発話処理において、現在時刻、充電台１２の設置された場所、後述するように充電台１２に特定された対話対象のユーザ、携帯端末１１が受信したメールおよび電話、携帯端末１１に登録されたメモおよびスケジュール、当該ユーザの発した音声、ならびに当該ユーザの過去の会話内容に基づいて、発話する言葉を決定する。制御部２２は、決定した言葉を発するように、スピーカ１７を駆動する。ここで、制御部２２は、発話処理のために、プライベートレベルを充電台１２から取得する。制御部２２は、発話する言葉が所定の情報に基づく場合に、プライベートレベルに応じてスピーカ１７によって音声出力する内容を変更する内容変更処理を実行する。本実施形態において、所定の情報は、スケジュール、メモ、メールおよび電話である。制御部２２は、上記の設定情報に従って、音声出力する内容が内容変更処理の対象となるか否かを判定する。制御部２２は、対象となる内容について内容変更処理を実行する。
【００３９】
制御部２２は、発話内容の決定のために、充電台１２に載置した場合および充電台１２から離脱させた場合のいずれであるかを判別する。制御部２２は、充電台１２から取得する載置の通知に基づいて、載置した場合か離脱した場合かを判別する。例えば、制御部２２は、載置されていることを示す通知を充電台１２から取得している間、充電台１２に載置されている場合であると判別する。また、例えば、制御部２２は、当該通知を取得出来なくなる時に離脱されたと判別する。または、制御部２２は、受電部１４が充電台１２から電力を取得可能か否か、または通信部１３が充電台１２と通信可能であるか否かに基づいて携帯端末１１の充電台１２に対する載置関係を判別してよい。
【００４０】
また、制御部２２は、音声認識処理において、マイク１６が検出する音声の形態素解析を行い、ユーザの発話内容を認識する。制御部２２は、認識した発話内容に基づいて、所定の処理を実行する。所定の処理は、例えば、前述のように認識した発話内容に対する発話処理、ならびに所望の情報の探索、所望の画像の表示、および所望の相手への電話およびメールの発信を実行するための処理である。
【００４１】
また、制御部２２は、コミュニケーションモードに移行している間、連続的に実行した、上述の発話処理および音声認識処理を記憶部２１に記憶させ、特定された対話対象のユーザに対する会話内容を学習する。制御部２２は、学習した会話内容に基づいて、以後の発話処理において発話する言葉の決定に活用する。また、制御部２２は、学習した会話内容を、充電台１２に転送してよい。
【００４２】
また、制御部２２は、コミュニケーションモードに移行している間、携帯端末１１の現在位置を検出する。現在位置の検出は、例えば、通信中の基地局の設置位置または携帯端末１１が備え得るＧＰＳに基づく。制御部２２は、検出した現在位置に関連付けられた地域情報をユーザに報知する。地域情報の報知は、スピーカ１７による音声の発話でも、ディスプレイ１９への画像の表示であってもよい。地域情報は、例えば、近隣店舗の特売情報などである。
【００４３】
また、制御部２２は、コミュニケーションモードに移行している間に特定の対象に対する見守り処理の開始要求を入力部２０が検出する場合、当該開始要求を充電台１２に通知する。特定の対象とは、例えば、登録された特定のユーザ、および充電台１２が設置された部屋などである。
【００４４】
見守り処理は携帯端末１１の載置の有無に関わらず、充電台１２により実行される。制御部２２は、見守り処理を実行させている充電台１２から特定の対象が異常状態である通知を取得する場合、その旨をユーザに報知する。ユーザへの報知は、スピーカ１７による音声の発信でも、ディスプレイ１９への警告画像の表示であってもよい。
【００４５】
また、制御部２２は、コミュニケーションモードへの移行の有無に関わらず、入力部２０への入力に基づいて、メールの送受信およびブラウザを用いた画像表示などのデータ通信処理、ならびに他の電話との通話処理を実行する。
【００４６】
充電台１２は、通信部２３、給電部２４、変動機構２５、マイク２６、スピーカ２７、カメラ２８、人感センサ２９、載置センサ３０、記憶部３１、および制御部３２などを含んでいる。
【００４７】
通信部２３は、携帯端末１１の通信部１３と同様に、音声、文字、および画像などを通信可能な通信インタフェースを含む。通信部２３は、有線通信または無線通信により、携帯端末１１と通信する。通信部２３は、有線通信または無線通信により、外部機器と通信してもよい。
【００４８】
給電部２４は、充電台１２に載置された携帯端末１１の受電部１４に電力を供給する。給電部２４は、上述のように、有線または無線により受電部１４に電力を供給する。
【００４９】
変動機構２５は、充電台１２に載置される携帯端末１１の向きを変動させる。変動機構２５は、充電台１２に対して定められる下底面ｂｓ（図１、２参照）に対して定められる上下方向および左右方向の少なくとも一方に沿って、携帯端末１１の向きを変動可能である。変動機構２５はモータを内蔵しており、モータの駆動により携帯端末１１の向きを変動させる。また、変動機構２５は、回転機能（例えば３６０°回転）を備えており、載置された携帯端末１１のカメラ１８によって充電台１２の周囲を撮像可能であってもよい。
【００５０】
マイク２６は、充電台１２の周囲で発生する音声を検出して、電気信号に変換する。マイク２６は、検出した音声を制御部３２に出力する。
【００５１】
スピーカ２７は、制御部３２の制御に基づいて、音声を発する。
【００５２】
カメラ２８は、撮像範囲内の被写体を撮像する。また、カメラ２８は、撮像の向きを変えられる装置（例えば回転機構）を備えており、充電台１２の周囲を撮像できる。カメラ２８は、静止画像および動画像のいずれも撮像可能である。カメラ２８は、動画像の撮像時に、例えば６０ｆｐｓで、被写体を連続的に撮像する。カメラ２８は、撮像した画像を制御部３２に出力する。
【００５３】
人感センサ２９は、例えば、赤外線センサであり、熱の変化を検出することにより、充電台１２の周囲における人の存在を検出する。人感センサ２９は、人の存在を検出する場合、その旨を制御部３２に通知する。人感センサ２９は、赤外線センサ以外のセンサであってよく、例えば、超音波センサであってもよい。または、人感センサ２９は、連続的に撮像される画像の変化に基づいて人の存在を検出するようにカメラ２８を機能させる構成であってよい。
【００５４】
載置センサ３０は、充電台１２において、例えば、携帯端末１１の載置面に設けられており、携帯端末１１の載置の有無を検出する。載置センサ３０は、例えば圧電素子などにより構成されている。載置センサ３０は、携帯端末１１が載置されるとき、その旨を制御部３２に通知する。
【００５５】
記憶部３１は、例えば、半導体メモリ、磁気メモリ、および光メモリなどを用いて構成されてよい。記憶部３１は、例えば、携帯端末１１から取得するユーザの登録に係る画像、ユーザ情報および設定情報を、携帯端末１１毎および登録したユーザ毎に記憶する。また、記憶部３１は、例えば、携帯端末１１から取得する会話内容をユーザ毎に記憶する。また、記憶部３１は、例えば、後述するように、カメラ２８による撮像結果に基づく変動機構２５の駆動のための情報を記憶する。また、記憶部３１は、例えば、携帯端末１１から取得する行動履歴をユーザ毎に記憶する。
【００５６】
制御部３２は、携帯端末１１の制御部２２と同様に、１又は複数のプロセッサを含む。制御部３２は、携帯端末１１の制御部２２と同様に、種々の処理のためのプログラム及び演算中の情報を記憶する１又は複数のメモリを含んでよい。
【００５７】
制御部３２は、少なくとも載置センサ３０が携帯端末１１の載置を検出してから離脱を検出するまでの間、さらには離脱を検出してから所定時間が経過するまでの間、コミュニケーションシステム１０をコミュニケーションモードに維持させる。したがって、制御部３２は、充電台１２に携帯端末１１が載置されている場合、携帯端末１１に発話処理および音声認識処理の少なくとも一方を実行させ得る。また、制御部３２は、充電台１２から携帯端末１１が離脱してからの所定時間が経過するまでの間、携帯端末１１に発話処理および音声認識処理の少なくとも一方を実行させ得る。
【００５８】
制御部３２は、充電台１２に携帯端末１１が載置されている間、人感センサ２９の検出結果に基づいて、充電台１２の周囲における人の存在の有無を判別する。制御部３２は、人が存在すると判別する場合、マイク２６およびカメラ２８の少なくとも一方を起動して、それぞれ音声および画像の少なくとも一方を検出させる。制御部３２は、検出された音声および画像の少なくとも一方に基づいて、対話対象のユーザを特定する。そして、制御部３２は、充電台１２の周囲にいる人について対話対象のユーザとの関係を判定して、プライベートレベルを決定する。本実施形態においては、制御部３２は、画像に基づいて、プライベートレベルを決定する。
【００５９】
制御部３２は、例えば、取得した画像から、充電台１２の周囲（載置されている場合には携帯端末１１の周囲）にいる人の数等を判別する。また、制御部３２は、画像内に含まれる人の顔、背格好および全体輪郭などの特徴から、充電台１２の周囲にいる対話対象のユーザを特定する。また、制御部３２は、充電台１２の周囲にいる対話対象のユーザ以外の人を特定する。ここで、制御部３２は、さらに音声を取得してもよい。制御部３２は、取得した音声における声の大きさ、高さ、および声質に基づいて、充電台１２の周囲にいる人の数を検証（または特定）してもよい。また、制御部３２は、音声のこれらの特徴から、対話対象のユーザを検証（または特定）してもよい。また、制御部３２は、音声のこれらの特徴から、対話対象のユーザ以外の人を検証（または特定）してもよい。
【００６０】
制御部３２は、対話対象のユーザを特定した場合、充電台１２の周囲にいる他の人の
対話対象のユーザとの関係を特定する。制御部３２は、充電台１２の周囲に他の人がいない場合、すなわち、充電台１２の周囲に対話対象のユーザだけがいる場合に、プライベートレベルを第３のレベルに決定する。制御部３２は、特定した対話対象のユーザの情報とともに、プライベートレベルが第３のレベルであることを、携帯端末１１に通知する。制御部３２は、充電台１２の周囲に対話対象のユーザと対話対象のユーザと親しい人（例えば家族、親友等）だけがいる場合に、プライベートレベルを第２のレベルに決定する。ここで、制御部３２は、対話対象のユーザ以外の人が親しい人か否かを、携帯端末１１から充電台１２に転送されたユーザ情報に基づいて判別する。制御部３２は、特定した対話対象のユーザおよび充電台１２の周囲にいる他の人の情報とともに、プライベートレベルが第２のレベルであることを、携帯端末１１に通知する。制御部３２は、充電台１２の周囲に対話対象のユーザと親しくない人（例えば他人等）がいる場合に、プライベートレベルを第１のレベルに決定する。制御部３２は、特定した対話対象のユーザの情報とともに、プライベートレベルが第１のレベルであることを、携帯端末１１に通知する。制御部３２は、充電台１２の周囲にいる人に、ユーザ情報に基づいて判別ができない人が含まれる場合には、プライベートレベルを第１のレベルに決定し、携帯端末１１に通知する。ここで、制御部３２は、設定情報に基づいて全ての情報（例えばスケジュール、メモ、メールおよび電話等）に対して内容変更処理が実行されない（無効である）と判定した場合に、プライベートレベルの決定および携帯端末１１への通知を実行しなくてもよい。
【００６１】
制御部３２は、充電台１２に携帯端末１１が載置されている間、カメラ２８による撮像を継続させ、特定の対話対象のユーザの顔を画像毎に探索する。制御部３２は、画像の中で探索された顔の位置に基づいて、携帯端末１１のディスプレイ１９が当該ユーザの方向を向くように、変動機構２５を駆動する。
【００６２】
制御部３２は、載置センサ３０が携帯端末１１の載置を検出する時、コミュニケーションシステム１０のコミュニケーションモードへの移行を開始させる。したがって、制御部３２は、充電台１２に携帯端末１１が載置される時、携帯端末１１に発話処理および音声認識処理の少なくとも一方の実行を開始させる。また、制御部３２は、載置センサ３０が携帯端末１１の載置を検出する場合、載置されていることを携帯端末１１に通知する。
【００６３】
また、制御部３２は、載置センサ３０が携帯端末１１の離脱を検出する時または検出後の所定時間の経過後に、コミュニケーションシステム１０におけるコミュニケーションモードを終了させる。したがって、制御部３２は、充電台１２から携帯端末１１が離脱する時または検出後の所定時間の経過後に、携帯端末１１に発話処理および音声認識処理の少なくとも一方の実行を終了させる。
【００６４】
また、制御部３２は、携帯端末１１からユーザ毎の会話内容を取得する場合、当該会話内容を携帯端末１１毎に記憶部３１に記憶させる。制御部３２は、必要に応じて、充電台１２と直接または間接的に通信する異なる携帯端末１１間において記憶した会話内容を共有させる。ここで、充電台１２と間接的に通信するとは、充電台１２が電話回線に繋がれており、当該電話回線を介して通信すること、および充電台１２に載置された携帯端末１１を介して通信することの少なくとも一方を含む。
【００６５】
また、制御部３２は、携帯端末１１から見守り処理を実行する指令を取得する場合、見守り処理を実行する。制御部３２は、見守り処理において、カメラ２８を起動して、特定の対象の連続的な撮像を実行する。制御部３２は、カメラ２８が撮像した画像の中で特定の対象を抽出する。制御部３２は、抽出した特定の対象の状態を、画像認識などに基づいて、判断する。特定の対象の状態とは、例えば、特定のユーザが倒れたままなどの異常状態、留守中の部屋における動体の検出状態である。制御部３２は、特定の対象が異常状態であると判断する場合、見守り処理の実行を指令した携帯端末１１に、特定の対象が異常状態であることを通知する。
【００６６】
次に、本開示において携帯端末１１の制御部２２が実行する、初期設定処理について、図４のフローチャートを用いて説明する。初期設定処理は、ユーザによる初期設定を開始する入力を入力部２０が検出する場合に開始する。
【００６７】
ステップＳ１００において、制御部２２は、携帯端末１１のカメラ１８に顔を合わせるように要求するメッセージをディスプレイ１９に表示させる。ディスプレイ１９への表示後に、プロセスはステップＳ１０１に進む。
【００６８】
ステップＳ１０１では、制御部２２は、カメラ１８に撮像を実行させる。撮像後、プロセスはステップＳ１０２に進む。
【００６９】
ステップＳ１０２では、制御部２２は、ユーザの名称および属性を尋ねる質問をディスプレイ１９に表示させる。質問の表示後、プロセスはステップＳ１０３に進む。
【００７０】
ステップＳ１０３では、制御部２２は、ステップＳ１０２における質問に対する回答の有無を判別する。回答が無い時、プロセスはステップＳ１０３を繰返す。回答がある時、プロセスはステップＳ１０４に進む。
【００７１】
ステップＳ１０４では、制御部２２は、ステップＳ１０１において撮像した顔の画像を、ステップＳ１０３において検出された質問に対する回答をユーザ情報として関連付けて、記憶部２１に記憶させる。記憶後、プロセスはステップＳ１０５に進む。
【００７２】
ステップＳ１０５では、制御部２２は、充電台１２と通信可能であるか否かを判別する。通信不可能である時、プロセスはステップＳ１０６に進む。通信可能である時、プロセスはステップＳ１０７に進む。
【００７３】
ステップＳ１０６では、制御部２２は、ディスプレイ１９に充電台１２との通信を可能にさせる行動を要求するメッセージをディスプレイ１９に表示させる。通信を可能にさせる行動を要求するメッセージは、携帯端末１１が充電台１２と有線通信を行う構成において、例えば、“充電台に載置してください”である。また、通信を可能にさせる行動を要求するメッセージは、携帯端末１１が充電台１２と無線通信を行う構成において、例えば、“充電台１２に近付けてください”である。メッセージの表示後、プロセスはステップＳ１０５に戻る。
【００７４】
ステップＳ１０７では、制御部２２は、ステップＳ１０４において記憶した顔の画像、およびユーザ情報を充電台１２に転送する。また、制御部２２は、転送中であることを示すメッセージをディスプレイ１９に表示させる。転送の開始後にプロセスはステップＳ１０８に進む。
【００７５】
ステップＳ１０８では、制御部２２は、充電台１２から転送完了の通知を取得したか否かを判別する。取得していない時、プロセスはステップＳ１０８を繰返す。取得している時、プロセスはステップＳ１０９に進む。
【００７６】
ステップＳ１０９では、制御部２２は、初期設定の完了を示すメッセージをディスプレイ１９に表示させる。表示後、初期設定処理は終了する。
【００７７】
次に、本開示において携帯端末１１の制御部２２が実行する、プライベート設定処理について、図５のフローチャートを用いて説明する。プライベート設定処理は、ユーザによるプライベート設定を開始する入力を入力部２０が検出する場合に開始する。
【００７８】
ステップＳ２００において、制御部２２は、ユーザにプライベート設定を実行するように要求するメッセージをディスプレイ１９に表示させる。ディスプレイ１９への表示後に、プロセスはステップＳ２０１に進む。
【００７９】
ステップＳ２０１では、制御部２２は、例えばスケジュールに設定された予定があること、メモがあること、メールを受信したこと、電話があったことなどを音声で通知する場合に、プライベート情報を保護するか否かを尋ねる質問をディスプレイ１９に表示させる。また、制御部２２は、例えばスケジュールの内容、メモの内容、メールの送信者、メールの件名、電話の発信者などを音声出力する場合に、プライベート情報を保護するか否かを尋ねる質問をディスプレイ１９に表示させる。また、制御部２２は、プライベートレベルが第２のレベルである場合に情報を開示する者の範囲を尋ねる質問をディスプレイ１９に表示させる。質問の表示後、プロセスはステップＳ２０２に進む。
【００８０】
ステップＳ２０２では、制御部２２は、ステップＳ２０１における質問に対する回答の有無を判別する。回答が無い時、プロセスはステップＳ２０２を繰返す。回答がある時、プロセスはステップＳ２０３に進む。
【００８１】
ステップＳ２０３では、制御部２２は、ステップＳ２０２において検出された質問に対する回答を設定情報として関連付けて、記憶部２１に記憶させる。記憶後、プロセスはステップＳ２０４に進む。
【００８２】
ステップＳ２０４では、制御部２２は、充電台１２と通信可能であるか否かを判別する。通信不可能である時、プロセスはステップＳ２０５に進む。通信可能である時、プロセスはステップＳ２０６に進む。
【００８３】
ステップＳ２０５では、制御部２２は、ディスプレイ１９に充電台１２との通信を可能にさせる行動を要求するメッセージをディスプレイ１９に表示させる。通信を可能にさせる行動を要求するメッセージは、携帯端末１１が充電台１２と有線通信を行う構成において、例えば、“充電台に載置してください”である。また、通信を可能にさせる行動を要求するメッセージは、携帯端末１１が充電台１２と無線通信を行う構成において、例えば、“充電台１２に近付けてください”である。メッセージの表示後、プロセスはステップＳ２０４に戻る。
【００８４】
ステップＳ２０６では、制御部２２は、ステップＳ２０３において記憶した設定情報を充電台１２に転送する。また、制御部２２は、転送中であることを示すメッセージをディスプレイ１９に表示させる。転送の開始後にプロセスはステップＳ２０７に進む。
【００８５】
ステップＳ２０７では、制御部２２は、充電台１２から転送完了の通知を取得したか否かを判別する。取得していない時、プロセスはステップＳ２０７を繰返す。取得している時、プロセスはステップＳ２０８に進む。
【００８６】
ステップＳ２０８では、制御部２２は、プライベート設定の完了を示すメッセージをディスプレイ１９に表示させる。表示後、プライベート設定処理は終了する。
【００８７】
次に、本開示において充電台１２の制御部３２が実行する、発話等実行判別処理について、図６のフローチャートを用いて説明する。制御部３２は、発話等実行判別処理を周期的に開始してもよい。
【００８８】
ステップＳ３００において、制御部３２は、携帯端末１１の載置を載置センサ３０が検出しているか否かを判別する。検出している時、プロセスはステップＳ３０１に進む。検出していない時、発話等実行判別処理は終了する。
【００８９】
ステップＳ３０１では、制御部３２は、変動機構２５および人感センサ２９を駆動して、充電台１２の周囲に人がいるか否かの検出を行う。変動機構２５および人感センサ２９を駆動させた後、プロセスはステップＳ３０２に進む。
【００９０】
ステップＳ３０２では、制御部３２は、充電台１２の周囲の人を人感センサ２９が検出しているか否かを判別する。周囲の人を検出する時、プロセスはステップＳ３０３に進む。周囲の人を検出しない時、発話等実行判別処理は終了する。
【００９１】
ステップＳ３０３では、制御部３２は、カメラ２８を駆動し画像を検出させる。検出した画像の取得後、プロセスはステップＳ３０４に進む。ここで、検出した画像は少なくとも充電台１２の周囲の画像を含む。ここで、ステップＳ３０３において、制御部３２は、カメラ２８とともに、マイク２６を駆動して音声を検出させてもよい。
【００９２】
ステップＳ３０４では、制御部３２は、ステップＳ３０３において撮像により取得した画像内に含まれる人の顔を探索する。顔の探索後、プロセスはステップＳ３０５に進む。
【００９３】
ステップＳ３０５では、制御部３２は、ステップＳ３０４において探索した顔を、記憶部３１に記憶した登録済みの顔の画像と比較することにより、対話対象のユーザを特定する。制御部３２は、画像内に含まれる対話対象のユーザ以外の人についても特定する。つまり、充電台１２の周囲の人が複数である場合、制御部３２は、それぞれの人について特定を行う。制御部３２は、例えば特定できない人（例えば顔の画像を登録していない人）が画像内に含まれている場合に、充電台１２の周囲に他人がいると認識する。また、制御部３２は、携帯端末１１のディスプレイ１９を対話対象のユーザの顔の方向を向ける処理のために、対話対象のユーザの顔の画像内の位置を特定する。特定後、プロセスはステップＳ３０６に進む。
【００９４】
ステップＳ３０６では、制御部３２は、ステップＳ３０５における画像内に含まれる人の特定に基づいて、プライベートレベルを決定する。制御部３２は、特定された対話対象のユーザ以外の人について、対話対象のユーザとの続柄または交友関係等を特定する。プライベートレベルの決定後、プロセスはステップＳ３０７に進む。
【００９５】
ステップＳ３０７では、制御部３２は、ステップＳ３０６において決定したプライベートレベルを携帯端末１１に通知する。通知後、プロセスはステップＳ３０８に進む。
【００９６】
ステップＳ３０８では、制御部３２は、ステップＳ３０５において検出した顔の位置に基づいて、携帯端末１１のディスプレイ１９がステップＳ３０３において撮像された対話対象のユーザの顔の方向を向くように、変動機構２５を駆動させる。変動機構２５の駆動後、プロセスはステップＳ３０９に進む。
【００９７】
ステップＳ３０９では、制御部３２は、発話処理および音声認識処理の少なくとも一方を開始させる指令を携帯端末１１に通知する。通知後、プロセスはステップＳ３１０に進む。
【００９８】
ステップＳ３１０では、制御部３２は、携帯端末１１の離脱を載置センサ３０が検出しているか否かを判別する。検出していない時、プロセスはステップＳ３０３に戻る。検出している時、プロセスはステップＳ３１１に進む。
【００９９】
ステップＳ３１１では、制御部３２は、離脱の検出後から所定時間が経過しているか否かを判別する。所定時間が経過していない場合、プロセスはステップＳ３１１に戻る。所定時間が経過している場合、プロセスはステップＳ３１２に進む。
【０１００】
ステップＳ３１２では、制御部３２は、発話処理および音声認識処理の少なくとも一方を終了させる指令を携帯端末１１に通知する。
【０１０１】
次に、本開示において携帯端末１１の制御部２２が実行する、プライベートレベル認識処理について、図７のフローチャートを用いて説明する。プライベートレベル認識処理は、充電台１２が通知するプライベートレベルを取得する時に開始する。
【０１０２】
ステップＳ４００において、制御部２２は取得したプライベートレベルを認識する。制御部２２は、認識したプライベートレベルに基づいて、以後の発話処理における発話内容を変更する内容変更処理を実行する。プライベートレベルの認識後、プライベートレベル認識処理は終了する。
【０１０３】
次に、本開示において携帯端末１１の制御部２２が実行する、内容変更処理について、図８のフローチャートを用いて説明する。内容変更処理は、例えば携帯端末１１が充電台１２によって通知されたプライベートレベルを認識した時に開始する。内容変更処理は、例えば携帯端末１１がプライベートレベルを認識してから発話処理を終了させる指令を受け取るまで、周期的に実行されてもよい。
【０１０４】
ステップＳ５００では、制御部２２は、対話対象のユーザに通知すべきスケジュールがあるか否かを判別する。例えば、まだ対話対象のユーザに通知していないスケジュールであって、実行予定日時まで所定の時間以内であるものがあれば、制御部２２は、通知すべきスケジュールがあると判定する。通知すべきスケジュールがある場合、プロセスはステップＳ６００に進む。通知すべきスケジュールがない場合、プロセスはステップＳ５０１に進む。
【０１０５】
ステップＳ６００では、制御部２２は、後述するスケジュール通知のサブルーチンを実行する。スケジュール通知のサブルーチンの実行後、プロセスはステップＳ５０１に進む。
【０１０６】
ステップＳ５０１では、制御部２２は、対話対象のユーザに通知すべきメモがあるか否かを判別する。例えば、まだ対話対象のユーザに通知していない新たに登録されたメモがあれば、制御部２２は、通知すべきメモがあると判定する。通知すべきメモがある場合、プロセスはステップＳ７００に進む。通知すべきメモがない場合、プロセスはステップＳ５０２に進む。
【０１０７】
ステップＳ７００では、制御部２２は、後述するメモ通知のサブルーチンを実行する。メモ通知のサブルーチンの実行後、プロセスはステップＳ５０２に進む。
【０１０８】
ステップＳ５０２では、制御部２２は、対話対象のユーザに通知すべきメールがあるか否かを判別する。例えば、まだ対話対象のユーザに通知していない新たに受信したメールがあれば、制御部２２は、通知すべきメールがあると判定する。通知すべきメールがある場合、プロセスはステップＳ８００に進む。通知すべきメールがない場合、プロセスはステップＳ５０３に進む。
【０１０９】
ステップＳ８００では、制御部２２は、後述するメール通知のサブルーチンを実行する。メール通知のサブルーチンの実行後、プロセスはステップＳ５０３に進む。
【０１１０】
ステップＳ５０３では、制御部２２は、対話対象のユーザに通知すべき電話着信があるか否かを判別する。例えば、対話対象のユーザ宛ての電話着信があれば、または、まだ対話対象のユーザに通知していない電話の録音メモがあれば、制御部２２は、通知すべき電話着信があると判定する。通知すべき電話着信がある場合、プロセスはステップＳ９００に進む。通知すべき電話着信がない場合、内容変更処理は終了する。
【０１１１】
ステップＳ９００では、制御部２２は、後述する電話着信通知のサブルーチンを実行する。電話着信通知のサブルーチンの実行後、内容変更処理は終了する。また、内容変更処理において通知すべきスケジュール、メモ、メールおよび電話着信の少なくとも一つがあった場合、制御部２２は、発話処理において、内容変更処理を経た発話内容を音声出力する。
【０１１２】
次に、本開示において携帯端末１１の制御部２２が実行する、スケジュール通知のサブルーチンＳ６００について、図９のフローチャートを用いて説明する。
【０１１３】
ステップＳ６０１において、制御部２２は、プライベートレベルが第１のレベルであるか否かを判別する。第１のレベルでない場合（第２のレベルまたは第３のレベルである場合）、制御部２２は、スケジュール通知のサブルーチンＳ６００を終了する。第１のレベルである場合、プロセスはステップＳ６０２に進む。
【０１１４】
ステップＳ６０２において、制御部２２は、設定情報に基づいて、スケジュールを音声で通知することについてプライベート設定が有効であるか否かを判別する。ここで、プライベート設定が有効であるとは、プライベート情報を保護する設定となっていることを意味する。制御部２２は、プライベート設定処理で生成された設定情報を参照することによって、内容変更処理の対象となる所定の情報（スケジュール、メモ、メールおよび電話）のそれぞれについて、プライベート設定が有効であるか否かを判別可能である。スケジュールを音声で通知することについてプライベート設定が有効である場合、プロセスはステップＳ６０３に進む。プライベート設定が有効でない場合、プロセスはステップＳ６０４に進む。
【０１１５】
ステップＳ６０３では、制御部２２は、発話内容をなしに変更する。つまり、制御部２２は、スケジュールについて発話しないように変更する。
【０１１６】
ステップＳ６０４では、制御部２２は、スケジュールの内容についてプライベート設定が有効であるか否かを判別する。プライベート設定が有効である場合、プロセスはステップＳ６０５に進む。プライベート設定が有効でない場合、制御部２２は、スケジュール通知のサブルーチンＳ６００を終了する。
【０１１７】
ステップＳ６０５では、制御部２２は、発話内容を定型句に変更する。定型句は例えば記憶部２１に記憶されている。例えば、制御部２２は、「本日の１９時に歓送迎会の予定があります」という発話内容を、プライベートな情報を含まない定型句である「本日予定があります」に変更する。制御部２２は、発話内容の変更後に、スケジュール通知のサブルーチンＳ６００を終了する。
【０１１８】
次に、本開示において携帯端末１１の制御部２２が実行する、メモ通知のサブルーチンＳ７００について、図１０のフローチャートを用いて説明する。
【０１１９】
ステップＳ７０１において、制御部２２は、プライベートレベルが第１のレベルであるか否かを判別する。第１のレベルでない場合（第２のレベルまたは第３のレベルである場合）、制御部２２は、メモ通知のサブルーチンＳ７００を終了する。第１のレベルである場合、プロセスはステップＳ７０２に進む。
【０１２０】
ステップＳ７０２において、制御部２２は、設定情報に基づいて、メモを音声で通知することについてプライベート設定が有効であるか否かを判別する。プライベート設定が有効である場合、プロセスはステップＳ７０３に進む。プライベート設定が有効でない場合、プロセスはステップＳ７０４に進む。
【０１２１】
ステップＳ７０３では、制御部２２は、発話内容をなしに変更する。つまり、制御部２２は、メモについて発話しないように変更する。
【０１２２】
ステップＳ７０４では、制御部２２は、メモの内容についてプライベート設定が有効であるか否かを判別する。プライベート設定が有効である場合、プロセスはステップＳ７０５に進む。プライベート設定が有効でない場合、制御部２２は、メモ通知のサブルーチンＳ７００を終了する。
【０１２３】
ステップＳ７０５では、制御部２２は、発話内容を定型句に変更する。定型句は例えば記憶部２１に記憶されている。例えば、制御部２２は、「明日、報告書Ｙを提出する必要があります」という発話内容を、プライベートな情報を含まない定型句である「メモがあります」に変更する。制御部２２は、発話内容の変更後に、メモ通知のサブルーチンＳ７００を終了する。
【０１２４】
次に、本開示において携帯端末１１の制御部２２が実行する、メール通知のサブルーチンＳ８００について、図１１のフローチャートを用いて説明する。
【０１２５】
ステップＳ８０１において、制御部２２は、プライベートレベルが第１のレベルであるか否かを判別する。第１のレベルでない場合（第２のレベルまたは第３のレベルである場合）、制御部２２は、メール通知のサブルーチンＳ８００を終了する。第１のレベルである場合、プロセスはステップＳ８０２に進む。
【０１２６】
ステップＳ８０２において、制御部２２は、設定情報に基づいて、メールを音声で通知することについてプライベート設定が有効であるか否かを判別する。プライベート設定が有効である場合、プロセスはステップＳ８０３に進む。プライベート設定が有効でない場合、プロセスはステップＳ８０４に進む。
【０１２７】
ステップＳ８０３では、制御部２２は、発話内容をなしに変更する。つまり、制御部２２は、メールについて発話しないように変更する。
【０１２８】
ステップＳ８０４では、制御部２２は、メールの宛先および件名の少なくとも一方についてプライベート設定が有効であるか否かを判別する。プライベート設定が有効である場合、プロセスはステップＳ８０５に進む。メールの宛先も、件名も、プライベート設定が有効でない場合、制御部２２は、メール通知のサブルーチンＳ８００を終了する。
【０１２９】
ステップＳ８０５では、制御部２２は、メールの宛先および件名のうちプライベート設定が有効であるものを定型句または「なし」に変更する。定型句は例えば記憶部２１に記憶されている。例えばメールの宛先および件名のプライベート設定が有効である場合、制御部２２は、「ＡさんからＺの件でメールがきています」という発話内容を、「メールがきています」に変更する。また、例えばメールの件名のプライベート設定だけが有効である場合、制御部２２は、「ＡさんからＺの件でメールがきています」という発話内容を、「Ａさんからメールがきています」に変更する。また、例えばメールの宛先のプライベート設定だけが有効である場合、制御部２２は、「ＡさんからＺの件でメールがきています」という発話内容を、「Ｚの件でメールがきています」に変更する。制御部２２は、発話内容の変更後に、メール通知のサブルーチンＳ８００を終了する。
【０１３０】
次に、本開示において携帯端末１１の制御部２２が実行する、電話着信通知のサブルーチンＳ９００について、図１２のフローチャートを用いて説明する。
【０１３１】
ステップＳ９０１において、制御部２２は、プライベートレベルが第１のレベルであるか否かを判別する。第１のレベルでない場合（第２のレベルまたは第３のレベルである場合）、制御部２２は、電話着信通知のサブルーチンＳ９００を終了する。第１のレベルである場合、プロセスはステップＳ９０２に進む。
【０１３２】
ステップＳ９０２において、制御部２２は、設定情報に基づいて、電話着信を音声で通知することについてプライベート設定が有効であるか否かを判別する。プライベート設定が有効である場合、プロセスはステップＳ９０３に進む。プライベート設定が有効でない場合、プロセスはステップＳ９０４に進む。
【０１３３】
ステップＳ９０３では、制御部２２は、発話内容をなしに変更する。つまり、制御部２２は、電話着信について発話しないように変更する。
【０１３４】
ステップＳ９０４では、制御部２２は、電話着信の発信者についてプライベート設定が有効であるか否かを判別する。プライベート設定が有効である場合、プロセスはステップＳ９０５に進む。プライベート設定が有効でない場合、制御部２２は、電話着信通知のサブルーチンＳ９００を終了する。
【０１３５】
ステップＳ９０５では、制御部２２は、発話内容を定型句に変更する。定型句は例えば記憶部２１に記憶されている。例えば、制御部２２は、「Ａさんから着信がありました」という発話内容を、プライベートな情報を含まない定型句である「着信がありました」に変更する。また、例えば、制御部２２は、「Ａさんの伝言メモがあります」という発話内容を、プライベートな情報を含まない定型句である「伝言メモがあります」に変更する。制御部２２は、発話内容の変更後に、電話着信通知のサブルーチンＳ９００を終了する。
【０１３６】
以上のような構成の本実施形態に係る対話型電子機器は、対話対象のユーザのプライベートレベルに基づいて、スピーカによって音声出力する内容を変更する内容変更処理を実行する。プライベートレベルは自機器の周囲にいる人に応じて設定される。対話型電子機器では、対話対象のユーザに対して、音声で各種の通知を行うことによって利便性が高まる。一方、対話型電子機器の周囲に対話対象のユーザと親しくない人がいる場合に、プライベートな情報を含めた内容まで音声出力することは好ましくない。上述のような構成により、本実施形態の対話型電子機器は、内容変更処理を実行することによって、対話対象のユーザの個人情報を保護することが可能になる。このように、対話型電子機器は、従来の対話型電子機器に比べて機能が改善される。
【０１３７】
また、本実施形態に係る対話型電子機器は携帯端末１１である。制御部２２は、自機器（携帯端末１１）が充電台１２に載置された場合に内容変更処理を実行する。一般的に、外出中の携帯端末１１のユーザは、帰宅後早急に携帯端末１１の充電を開始することが多い。それゆえ、対話型電子機器は、ユーザの帰宅時など適切なタイミングで、当該ユーザ宛の通知をユーザに報知し得る。このように、対話型電子機器は、従来の対話型電子機器に比べて機能が改善される。
【０１３８】
また、本実施形態に係る充電台１２は、携帯端末１１が載置されている場合、携帯端末１１に発話処理および音声認識処理の少なくとも一方を実行させている。このような構成により、充電台１２は、単体で所定の機能を実行する携帯端末１１とともにユーザとの対話相手になり得る。したがって、充電台１２は、例えば、一人暮らしの高齢者の食事中の対話相手となり、高齢者の孤食を防ぎ得る。このように、充電台１２は、従来の充電台に比べて、機能が改善されている。
【０１３９】
また、本実施形態に係る充電台１２は、携帯端末１１が載置される時、携帯端末１１に発話処理および音声認識処理の少なくとも一方の実行を開始させている。したがって、充電台１２は、携帯端末１１の載置により、煩雑な入力などを必要とすること無く、ユーザとの対話などを開始させ得る。
【０１４０】
また、本実施形態に係る充電台１２は、携帯端末１１が離脱する時、携帯端末１１に発話処理及び音声認識処理の少なくとも一方の実行を終了させている。したがって、充電台１２は、携帯端末１１の離脱のみにより、煩雑な入力などを必要とすること無く、ユーザとの対話などを終了させ得る。
【０１４１】
また、本実施形態に係る充電台１２は、携帯端末１１のディスプレイ１９が発話処理および音声認識処理の少なくとも一方の実行対象のユーザの方向を向くように変動機構２５を駆動する。したがって、充電台１２は、ユーザとの対話時に、コミュニケーションシステム１０を、実際に会話をする人のように、当該ユーザに認識させ得る。
【０１４２】
また、本実施形態に係る充電台１２は、ユーザとの会話内容を、充電台１２と通信する異なる携帯端末１１間において共有させ得る。このような構成により、充電台１２は、特定のユーザの会話内容を他のユーザに把握させ得る。したがって、充電台１２は、会話内容を遠隔地にいる家族などと共有させ得、家族間のコミュニケーションを円滑化し得る。
【０１４３】
また、本実施形態に係る充電台１２は、特定の対象の状態を判断して異常状態である場合に携帯端末１１のユーザに報知する。したがって、充電台１２は、特定の対象を見守りし得る。
【０１４４】
また、本実施形態に係るコミュニケーションシステム１０は、対話対象のユーザに対して、過去の会話内容、発した音声、および充電台１２の設置された場所などに基づいて、発する言葉を決める。このような構成により、コミュニケーションシステム１０は、対話中のユーザの現在の会話内容および過去の会話内容ならびに設置場所に合わせた会話を行い得る。
【０１４５】
また、本実施形態に係るコミュニケーションシステム１０は、特定のユーザの行動履歴などを学習して、ユーザへのアドバイスを出力することも可能である。このような構成により、コミュニケーションシステム１０は、薬を飲むべき時の通知、当該ユーザの好みの食事の提案、当該ユーザの健康のための食事内容の提案、および当該ユーザが継続可能かつ効果的な運動の提案を行うことにより、ユーザの忘却し易いこと、ユーザに未知のことを認識させ得る。
【０１４６】
また、本実施形態に係るコミュニケーションシステム１０は、現在位置に関連付けられた情報を報知する。このような構成により、コミュニケーションシステム１０は、ユーザの居住地近辺に特化した地域情報をユーザに教示し得る。
【０１４７】
本発明を諸図面および実施例に基づき説明してきたが、当業者であれば本開示に基づき種々の変形および修正を行うことが容易であることに注意されたい。従って、これらの変形および修正は本発明の範囲に含まれることに留意されたい。
【０１４８】
例えば、本実施形態において、携帯端末１１の制御部２２が、プライベートレベルに応じた内容変更処理、内容変更処理に従った内容での発話処理、音声認識処理を実行するが、これらを充電台１２の制御部３２が実行してもよい。充電台１２の制御部３２が実行する構成においては、ユーザとの対話において充電台１２のマイク２６、スピーカ２７、およびカメラ２８を駆動してもよいし、携帯端末１１のマイク１６、スピーカ１７、およびカメラ１８を、通信部２３、１３を介して駆動してもよい。
【０１４９】
また、本実施形態において、充電台１２の制御部３２が実行する処理（例えば、プライベートレベルの判定処理等）の少なくとも一部を、携帯端末１１の制御部２２に実行させてもよい。
【０１５０】
また、本実施形態において、スケジュール通知のサブルーチン、メモ通知のサブルーチン、メール通知のサブルーチン、および電話着信通知のサブルーチンは、プライベートレベルが第１のレベルであることを、プライベート状態でないとしている（ステップＳ６０１、ステップＳ７０１、ステップＳ８０１およびステップＳ９０１）。しかし、これらのサブルーチンは個別に（互いに独立に）、プライベートレベルが「第１のレベルまたは第２のレベル」であることを、プライベート状態でないとしてもよい。
【０１５１】
また、本実施形態において、プライベートレベルが第２のレベルおよび第３のレベルである場合に、プライベート状態であるとして発話内容の変更が実行されない。ここで、プライベートレベルが第２のレベルである場合に、発話内容を、第３のレベルの内容（プライベート情報を完全に含む内容）から変更してもよい。例えば、スケジュールについて音声出力する場合に、第３レベルの発話内容が「本日の１９時に場所Ｘで歓送迎会の予定があります」であるとする。このとき、制御部２２は、第２のレベルの発話内容を「歓送迎会の予定があります」に変更してもよい。つまり、制御部２２は、重要なプライベート情報と判定する内容（この例では時刻および場所）を省略して、第２のレベルの発話内容としてもよい。このとき、プライベートレベルが第１のレベルから第３のレベルに応じて、段階的にプライベート情報が含まれるように発話内容が調整される。そのため、プライベート情報について、プライベートレベルに応じた、より適切な保護が可能になる。
【０１５２】
また、本実施形態において、上記変形例を組み合わせて、充電台１２の制御部３２が内容変更処理、発話処理、音声認識処理等を実行し、かつ携帯端末１１の制御部２２がプライベートレベルの判定処理等を実行してもよい。
【０１５３】
また、本実施形態において、携帯端末１１の制御部２２が、登録処理を実行するが、充電台１２の制御部３２が実行してもよい。
【０１５４】
また、本実施形態において、プライベート設定処理は、ユーザによる入力部２０への入力で実行される。プライベート設定処理は、内容変更処理の対象となる所定の情報（スケジュール、メモ、メールおよび電話）のそれぞれについて、プライベート設定が有効であるか否かを個別に設定した設定情報を生成する。設定情報の変更は、プライベート設定処理を再び実行することによって可能である。ここで、一括した設定情報の変更（プライベート設定の有効と無効の切り替え）が、対話型電子機器とユーザとの特定の会話によって実行可能であってもよい。例えば、天気の話をした後に特定の言葉（一例として「そうそう」という返答）をユーザが発すると、制御部２２によって設定情報が更新されて、スケジュール、メモ、メールおよび電話の全てについて一括してプライベート設定が有効（または無効）になってもよい。また、例えばユーザがタッチパネルに登録した画像（一例としてキャラクタの顔）を表示させて、登録した画像の特定の位置を特定の順番（一例として目、口、鼻の順）でユーザがタッチすると、スケジュール、メモ、メールおよび電話の全てについて一括してプライベート設定が有効（または無効）になってもよい。また、例えば対話型電子機器とユーザとの間で、一定時間、会話がない場合に、スケジュール、メモ、メールおよび電話の全てについて一括してプライベート設定が有効（または無効）になってもよい。また、例えば対話型電子機器によって実行される顔認識で、ユーザが確認できなくなると、スケジュール、メモ、メールおよび電話の全てについて一括してプライベート設定が有効（または無効）になってもよい。また、例えばユーザが電源ボタンなどの特定のボタンを押し下げると、スケジュール、メモ、メールおよび電話の全てについて一括してプライベート設定が有効（または無効）になってもよい。このような機能によって、プライベート設定について、ユーザが思う通りの素早い設定が可能になる。例えば当初プライベート設定をすることなく対話していて急に他人が入ってきたような場合に、他人に気付かれずにプライベート設定を有効にするといった使い方が可能になる。また、他人が去ってプライベートな空間となった場合に、一括してプライベート設定を無効化することによって、必要な情報を音声出力させることが可能になる。ここで、プライベート設定の一括の有効化（または無効化）が実行される前に、ユーザに対して確認画面が表示されてもよい。また、本実施形態において、周囲に他人がいるか否かの確認は、制御部３２がカメラ２８を駆動して画像から人の顔を探索することで行っていた（図６のステップＳ３０３〜ステップＳ３０５）で実行されていた。ここで、制御部３２は、音声認識（声紋認識）によって周囲に他人がいるか否かを確認してもよい。また、制御部３２は、上記のような対話型電子機器とユーザとの特定の会話を用いて、周囲に他人がいるか否かを確認してもよい。また、制御部３２は、上記のような登録した画像へのタッチ順を用いて、周囲に他人がいるか否かを確認してもよい。
【０１５５】
また、本実施形態において、発話処理において発話する言葉がスケジュール、メモ、メールおよび電話に基づく場合に、内容変更処理が実行される。ここで、発話処理において発話する言葉の全て（例えば一般対話を含む）に対して、内容変更処理が実行されてもよい。例えば、制御部２２は、特定の場所（一例として対話対象のユーザの家）以外に設けられた充電台１２に携帯端末１１が載置されたことを、充電台１２から取得した位置情報またはＧＰＳ信号等から検出した場合に、発話する言葉の全てに対して内容変更処理を実行してもよい。このとき、発話する言葉に含まれる全てのプライベートな情報が定型句または一般的な言葉に置き換えられてもよい。例えば、制御部２２は、対話対象のユーザの家以外の外出先に設けられた充電台１２に携帯端末１１が載置された場合に、発話する言葉の全てに対して内容変更処理を実行する。このとき、例えば、制御部２２は、「今日、Ｂさんの誕生日です」という一般対話での発話内容を、「今日、友達の記念日です」に変更する。一般対話を含む全ての発話内容に対して内容変更処理を実行することによって、対話対象のユーザの個人情報をより強固に保護することが可能になる。
【符号の説明】
【０１５６】
１０  コミュニケーションシステム
１１  携帯端末
１２  充電台
１３  通信部
１４  受電部
１５  バッテリ
１６  マイク
１７  スピーカ
１８  カメラ
１９  ディスプレイ
２０  入力部
２１  記憶部
２２  制御部
２３  通信部
２４  給電部
２５  変動機構
２６  マイク
２７  スピーカ
２８  カメラ
２９  人感センサ
３０  載置センサ
３１  記憶部
３２  制御部
【図１】
2019041265.tif 000003
【図２】
2019041265.tif 000004
【図３】
2019041265.tif 000005
【図４】
2019041265.tif 000006
【図５】
2019041265.tif 000007
【図６】
2019041265.tif 000008
【図７】
2019041265.tif 000009
【図８】
2019041265.tif 000010
【図９】
2019041265.tif 000011
【図１０】
2019041265.tif 000012
【図１１】
2019041265.tif 000013
【図１２】
2019041265.tif 000014